(57)【要約】【課題】ドライブスルー式洗車装置において、管理者確認手段での本人確認に基づく洗車であっても、簡単に有料洗車扱いに切換え可能として洗車利用情報を顧客に提供できるようにし、また管理者が車両から降りても洗車を随時にスタートさせられるようにして作業効率の向上を図り、しかもその洗車中に次の顧客が洗車予約できるようにする。【解決手段】管理者確認手段Ｋで本人確認がなされた場合に有料洗車に切換えるための切換スイッチ１９1 ，１９2 と、その切換スイッチにより有料洗車に切換えられた後で洗車機の作動を開始させるためのスタートスイッチ２４，２４′とを備え、制御装置Ｃは、管理者確認手段Ｋで本人確認がなされた後に、切換スイッチが操作入力されてから洗車受付操作がなされた場合に、洗車受付操作に対応した利用情報を顧客に提供させるよう情報提供手段１８，２３を作動させ、更にスタートスイッチへの操作入力に基づき洗車を開始させる。【選択図】図１
2014084040.tif 000002
【特許請求の範囲】
【請求項１】
洗車機（Ｓ）と、洗車機（Ｓ）の手前側に設置される受付機（Ｕ）と、その受付機（Ｕ）での洗車受付操作に基づき洗車機（Ｓ）の作動を制御可能な制御装置（Ｃ）と、その制御装置（Ｃ）に接続されて前記洗車受付操作に対応した洗車機（Ｓ）の利用情報を顧客に提供する情報提供手段（１８，２３）とを備え、
顧客が車両（Ｖ）に乗り込んだまま洗車を行う場合には、前記洗車受付操作をした後、車両（Ｖ）を洗車機（Ｓ）の手前側の所定位置まで前進させてから洗車機（Ｓ）を作動させて洗車を行い、その洗車終了後に車両（Ｖ）を前進、退出させるようにしたドライブスルー式洗車装置であって、
洗車機（Ｓ）の管理者が洗車機（Ｓ）を作動させる場合に事前に本人確認を行うための管理者確認手段（Ｋ，Ｋ′）を備え、その管理者確認手段（Ｋ，Ｋ′）で本人確認がなされた場合に、洗車機（Ｓ）を無料で作動可能とし且つその作動中でも次回の洗車のための前記洗車受付操作を可能としたものにおいて、
前記管理者確認手段（Ｋ，Ｋ′）で本人確認がなされた場合に有料洗車に切換えるのに使用される切換スイッチ（１９1 ，１９2 ）と、その切換スイッチ（１９1 ，１９2 ）により有料洗車に切換えられた後で洗車機（Ｓ）の作動を随時に開始させるのに使用されるスタートスイッチ（２４，２４′）とが、前記制御装置（Ｃ）に接続されており、
前記制御装置（Ｃ）は、前記管理者確認手段（Ｋ，Ｋ′）で本人確認がなされた後に、有料洗車に切換えるべく前記切換スイッチ（１９1 ，１９2 ）が操作入力されてから前記洗車受付操作がなされた場合に、その洗車受付操作に対応した洗車機（Ｓ）の利用情報を顧客に提供させるよう前記情報提供手段（１８，２３）を作動させ、更に前記スタートスイッチ（２４，２４′）への操作入力に基づき洗車機（Ｓ）の作動を開始させることを特徴とするドライブスルー式洗車装置。
【請求項２】
前記切換スイッチ（１９1 ，１９2 ）は、洗車料金の複数の支払い態様に応じて複数設けられることを特徴とする、請求項１に記載のドライブスルー式洗車装置。
【請求項３】
前記管理者確認手段（Ｋ′）には、暗証コード入力装置（１９）とその暗証コード入力装置（１９）への入力操作情報を確認処理する情報処理装置（ＥＣＵ）とからなる暗証コード確認手段が含まれ、前記暗証コード入力装置（１９）の複数の操作スイッチ（１９1 〜１９6 ）のうちの少なくとも一部（１９1 ，１９2 ）が前記切換スイッチに兼用されることを特徴とする、請求項１又は２に記載のドライブスルー式洗車装置。
【発明の詳細な説明】
【技術分野】
【０００１】
本発明は、洗車機と、その手前側に設置される洗車受付用の受付機と、この受付機での洗車受付操作に基づき洗車機の作動を制御可能な制御装置と、その制御装置に接続されて前記洗車受付操作に対応した洗車機の利用情報を顧客に提供する情報提供手段とを備え、顧客が車両に乗り込んだまま洗車を行う場合には、受付機で洗車受付操作をした後、車両を洗車機の手前側の所定位置まで前進させてから洗車機を作動させて洗車を行い、その洗車終了後に車両を前進、退出させるようにしたドライブスルー式洗車装置に関する。
【背景技術】
【０００２】
上記ドライブスルー式洗車装置は、例えば下記特許文献１に示されるように従来公知である。また、従来より洗車装置は、洗車機の管理者の便宜を図るべく管理者が洗車機を作動させる場合に事前に本人確認を行うための管理者確認手段（例えば管理者が所持管理するマスターカードを読取り、真否を確認するマスターカード確認手段）を備えており、その管理者確認手段で本人確認がなされた場合には、その確認結果に基づき洗車機を無料で作動可能であり、且つその洗車中も、洗車待ちの顧客による洗車予約（洗車受付操作）を行えるようにしている。
【先行技術文献】
【特許文献】
【０００３】
【特許文献１】特開２００４−３１４６６０号公報
【発明の概要】
【発明が解決しようとする課題】
【０００４】
ところで従来のドライブスルー式洗車装置では、洗車受付から洗車終了後の車両退出に至るまで顧客が車両に乗り込んだまま行う通常のドライブスルー洗車の他に、顧客に代わって作業員（管理者）が車両のキーを預かり、洗車を行う預かり洗車を随時に実行できるようにしている。そして、この預かり洗車には、次の３通りの洗車態様があった。
［１］作業員が顧客より現金又は会員カード（プリペイドカード）を預かった上で、顧客に代わって車両に乗り込んだまま、通常のドライブスルー洗車と同様の手順で洗車を行う態様。
［２］受付機に設けられるオフ・有料・無料切替え用のキースイッチを作業員が無料位置に切替え操作した後、顧客に代わって受付機で洗車受付操作を行い、その後、作業員が車両を洗車開始位置まで運転し、次いで車両に乗り込んだまま洗車させ、その終了後に車両を運転して退出させる態様。
［３］洗車機本体に内蔵されたオプションスイッチを切り位置に切替えて、受付機と洗車機間の信号授受を遮断する運転モードに切替えた後、顧客に代わって作業員が車両を洗車開始位置まで運転し、次いで車両より降りて洗車機本体の操作盤で洗車受付操作を行って洗車を開始させ、洗車終了後に車両に乗り込んで運転、退出させる態様。
【０００５】
ところが前記［１］［２］の洗車態様では、作業員が洗車中も車両に乗ったまま待機する形となって、他の業務ができず、作業効率が悪い問題がある。また、前記［２］［３］の洗車態様では、作業員が車両から降りて、前記キースイッチ又はオプションスイッチといった特別なスイッチを操作する必要がある上、これらスイッチは、実行中の洗車が終了するまで元の切替位置に戻せないことから、実行中の洗車が終了するまでの間は、洗車待ちの次の顧客が洗車予約を行えず、洗車機の稼働効率が悪くなる問題がある。
【０００６】
そこで、前述のマスターカード等の管理者確認手段を使って洗車機を作動させることで、作業員が車両に乗りっ放しでなくても洗車可能とすると共に、その洗車中でも次回の洗車予約を可能とすることが考えられ、その場合には、前記したキースイッチやオプションスイッチを使う必要がなくなって前記問題を一掃できるが、その反面、次のような別の問題が生じる。
【０００７】
即ち、従来装置では、受付機での洗車受付操作に対応した洗車機の利用情報（例えば利用明細書、領収書等）を顧客に提供する情報提供手段（例えば領収書等の発行器、洗車利用情報を表示する表示パネル）は、顧客が受付機で有料の洗車受付操作を行った場合しか機能しない構成となっている。すなわち、従来では、管理者確認手段を使って洗車機を作動させる場合には無料洗車扱いとなってしまう関係で、受付機での洗車受付操作に対応した利用情報を前記情報提供手段が顧客に提供できなかった。
【０００８】
本発明は、上記に鑑み提案されたものであり、従来の上記問題を簡単な構造で一挙に解決できるようにしたドライブスルー式洗車装置を提供することを目的とする。
【課題を解決するための手段】
【０００９】
上記目的を達成するために、請求項１の発明は、洗車機と、洗車機の手前側に設置される受付機と、その受付機での洗車受付操作に基づき洗車機の作動を制御可能な制御装置と、その制御装置に接続されて前記洗車受付操作に対応した洗車機の利用情報を顧客に提供する情報提供手段とを備え、顧客が車両に乗り込んだまま洗車を行う場合には、前記洗車受付操作をした後、車両を洗車機の手前側の所定位置まで前進させてから洗車機を作動させて洗車を行い、その洗車終了後に車両を前進、退出させるようにしたドライブスルー式洗車装置であって、洗車機の管理者が洗車機を作動させる場合に事前に本人確認を行うための管理者確認手段を備え、その管理者確認手段で本人確認がなされた場合に、洗車機を無料で作動可能とし且つその作動中でも次回の洗車のための前記洗車受付操作を可能としたものにおいて、前記管理者確認手段で本人確認がなされた場合に管理者が有料洗車に切換えるのに使用される切換スイッチと、その切換スイッチにより有料洗車に切換えられた後で洗車機の作動を随時に開始させるのに使用されるスタートスイッチとが、前記制御装置に接続されており、前記制御装置は、前記管理者確認手段で本人確認がなされた後に、有料洗車に切換えるべく前記切換スイッチが操作入力されてから前記洗車受付操作がなされた場合に、その洗車受付操作に対応した洗車機の利用情報を顧客に提供させるよう前記情報提供手段を作動させ、更に前記スタートスイッチへの操作入力に基づき洗車機の作動を開始させることを特徴とする。
【００１０】
また請求項２の発明は、請求項１の発明の特徴に加えて、前記切換スイッチが、洗車料金の複数の支払い態様に応じて複数設けられることを特徴とする。
【００１１】
また請求項３の発明は、請求項１又は２の発明の特徴に加えて、前記管理者確認手段には、暗証コード入力装置とその暗証コード入力装置への入力操作情報を確認処理する情報処理装置とからなる暗証コード確認手段が含まれ、前記暗証コード入力装置の複数の操作スイッチのうちの少なくとも一部が前記切換スイッチに兼用されることを特徴とする。
【００１２】
尚、本発明において、「洗車」とは、洗剤を用いた洗車の他、洗剤を使わない単なる水洗い洗車も含まれ、更に車両の車体表面を洗浄後、ワックスをコーティング処理するワックス掛け洗車や、ワックス以外の特殊な艶出し用表面処理剤をコーティングする洗車も含まれる。
【００１３】
また、本発明において、「有料洗車」とは、実施形態のような直接又は間接の何等かの料金の支払いを伴う通常の有料洗車が含まれる他、直接的な料金支払いは無くても完全無料とはいえない（即ち実質的には有償である）洗車、例えば、洗車会員が使用実績に基づき獲得したポイントの還元に基づく洗車等も含まれる。
【発明の効果】
【００１４】
本発明によれば、ドライブスルー式の洗車装置において、管理者確認手段で本人確認がなされた後に切換スイッチへの操作入力がなされてから受付機での洗車受付操作がなされた場合に、その洗車受付操作に対応した洗車機の利用情報を提供する情報提供手段を作動させ、更にスタートスイッチへの操作入力に基づき洗車機の作動を開始させるので、管理者確認手段での本人確認に基づく洗車であっても、簡単に有料洗車扱いに切換えることができて、その際の洗車利用情報の顧客への提供が可能となり、顧客の便宜を図ることができる。しかも、この場合は、洗車受付操作後であってもスタートスイッチを操作入力しない限り洗車がスタートせず、管理者が車両から降りても洗車を随時にスタートさせることができるため、洗車受付操作を済ませた管理者が洗車中に乗り放しでいる必要はなくなり、これにより、管理者は他の業務を行うことができて作業効率の向上が図られる。
【００１５】
また、前記管理者確認手段による本人確認に基づく洗車中は、洗車待ちの顧客による洗車予約（即ち次回洗車分の受付機での洗車受付操作）が可能であるため、キースイッチやオプションスイッチを用いて洗車する場合のように次の顧客が洗車予約できなくなる不都合を回避できる。
【００１６】
また特に請求項２の発明によれば、前記切換スイッチは、洗車料金の複数の支払い態様に応じて複数設けられるので、その複数の切換スイッチを使い分けることで、洗車料金の支払い態様（例えば前納か別納か）を簡単且つ的確に選択することができる。
【００１７】
また特に請求項３の発明によれば、管理者確認手段の一部である暗証コード入力装置の複数のキースイッチのうちの少なくとも一部が前記切換スイッチに兼用されるので、専用の切換スイッチを特別に設ける必要はなく、それだけ構造簡素化、延いてはコスト節減が図られる。
【図面の簡単な説明】
【００１８】
【図１】本発明の一実施形態に係るドライブスルー式洗車装置の全体平面図
【図２】前記洗車装置の全体側面図
【図３】前記洗車装置の洗車受付装置の操作パネルの一例を示す拡大正面図（図２の３矢視拡大図）
【図４】前記洗車装置における洗車機本体の操作パネルの一例を示す拡大正面図（図２の４矢視拡大図）
【図５】前記洗車装置の制御ブロック図
【図６】前記洗車装置の洗車制御の処理手順の一例を示すフローチャート
【発明を実施するための形態】
【００１９】
以下、本発明の実施の形態について、添付の図面を参照しながら説明する。
【００２０】
先ず、図１，図２において、本発明の洗車装置は、洗車機Ｓと、洗車受付装置Ｕとを主要構成とする。その洗車機Ｓの洗車機本体１は、車両としての自動車Ｖを跨ぎ得る門型フレーム２を備え、この門型フレーム２に設けられた左右一対の前車輪３，３および左右一対の後車輪４，４は、設置面上に敷設した左右一対の走行レール５，５上を走行する。前車輪３，３には走行モータ６が連結され、この走行モータ６により門型フレーム２を走行レール５，５に沿って往復走行させることができる。
【００２１】
図１，２において、洗車機Ｓの実線位置は、洗車開始前の待機位置を示し、また二点鎖線位置は、洗車終了位置を示しており、この洗車終了位置にある洗車機Ｓは、洗浄後の自動車Ｖが前進して退出するのに応じて前記待機位置まで自動的に移動する。その待機位置の洗車機Ｓよりも更に後方には、洗車が終了したことを自動車Ｖのドライバーに報知して自動車Ｖの退出を促すための報知装置Ｈが配設され、この報知装置Ｈは、図示例では洗車終了を表示する表示手段と、洗車終了を告げる音声発生手段とで構成される。尚、本発明では、上記報知装置Ｈに代えて（又は加えて）、報知装置の少なくとも音声発生手段を洗車機本体１に設置するようしてもよい。
【００２２】
門型フレーム２には、洗浄手段としてのトップブラシ７及び左右一対のサイドブラシ８，８と、乾燥手段としてのトップノズル９及び左右一対のサイドノズル１０，１０と、洗浄水噴射手段Ｗとが設けられており、これら手段の作動は、従来普通の洗車機と同様である。
【００２３】
左右の走行レール５，５間には、自動車Ｖが所定の洗車開始位置Ｖ２にあるときの右前輪に対応してストッパー１１と光電センサー１２とが設けられている。光電センサー１２は、投光器１２ａと受光器１２ｂとから構成され、その構造、作用は従来公知である。尚、図１で一点鎖線１２ｃは光電センサー１２の光軸を表している。
【００２４】
そして、自動車Ｖの右前輪をストッパー１１に当てて停止させることにより、その自動車Ｖを所定の洗車開始位置Ｖ２に位置決め、停止させることができ、また、この状態で、光電センサー１２は、自動車Ｖの右前輪が前記光軸１２ｃを遮るのを検知してその右前輪を検出することにより、自動車Ｖが洗車開始位置Ｖ２に停止したことを検出でき、さらにこの状態から光電センサ１２が再び前記光軸１２ｃを検出することで、自動車Ｖが洗車開始位置Ｖ２から退出したことを検出できるようになっている。
【００２５】
洗車機Ｓの手前側、即ち走行レール５，５の前端の前方には、受付機としての洗車受付装置Ｕが設置されており、その洗車受付装置Ｕの支柱上に固定されたケーシング１３内部には、マイクロコンピュータを主要部とする受付機制御装置ＥＣＵが収納される。この受付機制御装置ＥＣＵは、洗車受付け機能を果たすべく、洗車受付装置Ｕの後述する各部と接続され且つその各部の作動を制御する。
【００２６】
洗車機Ｓの手前側で、洗車機Ｓと洗車受付装置Ｕとの間には、図示しないアクチュエータにより開閉駆動される開閉ゲートＧが設置される。この開閉ゲートＧは、通常は閉じ位置に保持されており、洗車受付装置Ｕで洗車受付操作を済ませていない自動車Ｖが妄りに洗車機Ｓに接近しないようにしている。またその開閉ゲートＧは、洗車受付装置Ｕで洗車受付操作が完了しスタートスイッチ２４を押せば、開放動作して自動車Ｖの前進を可能とする。
【００２７】
また、そのケーシング１３の前面には操作パネル１４が設けられており、次に図３を併せて参照して、操作パネル１４の構成を具体的に説明する。
【００２８】
操作パネル１４には、その上部において紙幣挿入口１５ａ、硬貨挿入口１６ａ及びカード挿入口１７ａが横並びに配設され、またその下側において液晶パネル等からなる表示装置１８及び暗証コード入力装置１９が、更にその下側において洗車コース選択装置２０が、更にその下側において装備品選択装置２１が、更にその下側において案内用音声出力孔２２ａと、硬貨返却・領収書／利用明細書の取出兼用口２３ａと、スタートスイッチ２４とがそれぞれ配設される。
【００２９】
前記表示装置１８は、紙幣挿入口１５ａ又は硬貨挿入口１６ａで投入された投入金額の表示、並びに洗車受付装置Ｕで受付操作入力された洗車利用情報（例えば選択された洗車コースや、選択された装備品、選択結果に対応した洗車料金等）の表示を行い、洗車受付内容を顧客に明示する。
【００３０】
操作パネル１４の内部には、前記カード挿入口１７ａに挿入される会員カード又は管理者確認用のマスタカードの記録情報を読取り・書込み可能なカードリーダライタ１７が収納されており、このカードリーダライタ１７と、これのカード読み取り情報からマスタカードが真正のものか否かを判断する前記受付機制御装置ＥＣＵのカード情報判断部とよりなるマスタカード確認手段により、本発明の管理者確認手段Ｋが構成される。
【００３１】
前記会員カードは、洗車会員となった顧客が所持、携帯するプリペイドカードであって、これをカード挿入口１７ａに挿入して会員情報や予納状況の確認がなされた場合に顧客による有料洗車を実行可能とするためのものである。一方、マスタカードは、洗車機Ｓの管理者が保管、管理するもので、このマスタカードをカード挿入口１７ａに挿入して、管理者本人であることの確認がなされた場合に管理者による無料洗車を実行可能とするためのものである。
【００３２】
また前記暗証コード入力装置１９は、洗車機Ｓの管理者がマスタカードを持たない場合でも、このマスタカードに代わり管理者による無料洗車を実行可能とするために使用されるものであって、暗証コード入力用の複数の操作スイッチ１９1 〜１９6 より構成される。そして、それら操作スイッチ１９1 〜１９6 と、これらスイッチ１９1 〜１９6 への操作入力情報からマスタカードが真正のものか否かを判断する受付機制御装置ＥＣＵの入力情報判断部とからなる暗証コード確認手段で、本発明の第２の管理者確認手段Ｋ′が構成される。
【００３３】
前記複数の操作スイッチ１９1 〜１９6 の各操作キーには、キー毎に異なる記号（図示例では英文字Ａ〜Ｆ）が付されており、その記号の配列・組み合わせが予め設定された配列・組み合わせと照合することで本人確認（即ち操作者が正規の管理者であることの確認）を行う。また、上記複数の操作スイッチ１９1 〜１９6 のうちの少なくとも一部１９1 ，１９2 が、後述するような管理者による洗車を有料洗車に切換えるための切換スイッチに兼用される。
【００３４】
前記洗車コース選択装置２０には、水洗い洗車、シャンプー洗車、ワックス洗車等の複数の洗車コースを選択するための複数の選択操作スイッチ２０1 〜２０ｎが含まれ、また前記装備品選択装置２１には、洗車障害物となり得るドアミラー、リヤミラー、リヤワイパー等の装備品装着車への洗車対応を選択するための複数の選択操作スイッチ２１1 〜２１ｍが含まれる。尚、図示は省略したが、操作パネル１４には、その他の各種スイッチの操作部等が適宜配設される。
【００３５】
さらに洗車受付装置Ｕのケーシング１３内には、前記紙幣挿入口１５ａに挿入された紙幣を受け入れて計数する紙幣入金装置１５と、前記硬貨挿入口１６ａに挿入された硬貨を受け入れて計数する硬貨入金装置１６と、前記案内用音声出力孔２２ａに対応して案内用音声を発するスピーカ２２と、前記硬貨返却・領収書／利用明細書の取出兼用口２３ａに対応して領収書／利用明細書を印刷して該口２３ａから排出し得るプリンタ２３とが配設される。そして、そのプリンタ２３で発行された領収書や利用明細書には、洗車受付装置Ｕで受付操作入力された洗車利用情報（例えば選択された洗車コースや、選択された装備品、洗車料金等）が記載される。尚、前記取出兼用口２３ａはケーシング１３に内蔵される硬貨返却装置（図示せず）にも接続される。
【００３６】
而して、前記プリンタ２３及び表示装置１８は、洗車受付装置Ｕで受付けされた洗車利用情報を提供する本発明の情報提供手段を構成している。
【００３７】
さらに洗車受付装置Ｕのケーシング１３の側面又は後面には、緊急停止スイッチ３０及びキースイッチ３１が設けられる。この緊急停止スイッチ３０は、洗車機Ｓの作動を非常停止させるためのスイッチであり、またキースイッチ３１は、管理者が保管、管理するキー３２を差込むことでオフ位置と、有料位置と、無料位置とを選択的に切換操作可能である。オフ位置では、洗車機Ｓ及び洗車受付装置Ｕの運転を休止させ、有料位置（通常運転位置）では、通常の有料ドライブスルー洗車が実行可能となり、また無料位置では、無料のドライブスルー洗車が実行可能となる。
【００３８】
また、洗車機本体１の正面に設置された制御盤４０内には、前記した受付機制御装置ＥＣＵに信号授受を可能として接続された洗車機本体制御装置ＥＣＵ′が収納される。この洗車機本体制御装置ＥＣＵ′は、受付機制御装置ＥＣＵと同様にマイクロコンピュータを主要部とするものであって、洗車受付装置Ｕで受付けられて受付機制御装置ＥＣＵに入力された洗車コース等の洗車情報に基づき洗車を実行すべく、所定の制御プログラムに基づいて前記洗浄手段７，８、乾燥手段９，１０及び洗浄水噴射手段Ｗの作動を制御可能である。
【００３９】
前記制御盤４０には、洗車受付装置Ｕの操作パネル１４と同様に、液晶パネル等からなる表示装置１８′、洗車コース選択装置２０′、装備品選択装置２１′、スタートスイッチ２４′等が配設される。
【００４０】
またその制御盤４０は、洗車機本体１の開口部を開閉し得る扉状に構成されていて、洗車機本体１に開閉揺動可能に軸支されており、通常は鍵で閉じ位置にロックされる。そしてその制御盤４０の裏面には、オン位置とオフ位置とに選択的に切換操作可能なオプションスイッチ４１が配設され、このオプションスイッチ４１をオン位置（通常運転位置）にすれば、受付機制御装置ＥＣＵと洗車機本体制御装置ＥＣＵ′との間の信号授受が可能となって通常の有料ドライブスルー洗車が実行可能となる。一方、オプションスイッチ４１をオフ位置にすれば、前記信号授受が遮断されるため、洗車受付装置Ｕの操作パネル１４をどのように操作しても洗車機Ｓを作動させることができなくなるので、この場合は、管理者が制御盤４０で洗車受付操作を行い、無料洗車を実行する。
【００４１】
而して洗車機本体制御装置ＥＣＵ′及び受付装置制御装置ＥＣＵが互いに協働して本発明の制御装置Ｃを構成する。
【００４２】
次に、前記実施形態の作用を説明する。顧客が自動車Ｖに乗り込んだままドライブスルー洗車を行う場合には、先ず、洗車受付装置Ｕの手前側に自動車Ｖを停車させ、その洗車受付装置Ｕで洗車受付操作（即ち現金投入又は会員カードの読込み→洗車コース選択→装備品選択→スタートスイッチ２４のオン操作）を行う。これにより、開閉ゲートＧが開くので、顧客が自動車Ｖを、待機位置（図１の実線位置）にある洗車機Ｓの手前側の洗車開始位置Ｖ２まで前進させてエンジンを切る。これに応じて、開閉ゲートＧは閉じられると共に、洗車機Ｓは自動的に作動を開始して洗車を行う。そして、その洗車が終了すると、洗車機Ｓは洗車終了位置（図１の二点鎖線位置）で停止するので、車内の顧客は、洗車の終わった自動車Ｖを前進、退出させる。尚、上記洗車中、洗車待ちの顧客は洗車受付装置Ｕで次回の洗車のための洗車受付操作（洗車予約）を行うことができる。
【００４３】
以上は、従来公知のドライブスルー式洗車装置の普通の洗車動作であり、後述する図６のフローチャートのステップＳ１〜３の処理に対応する。
【００４４】
次に図６を併せて参照して、洗車機Ｓの管理者が、管理者確認手段Ｋ，Ｋ′を利用しつつ顧客に代わり（即ち顧客から自動車Ｖのキーを預かった上で）洗車を行う場合の制御装置Ｃによる処理手順について説明する。
【００４５】
先ず、ステップＳ１において、顧客による通常の前記洗車受付操作が洗車受付装置Ｕでなされたか判断され、なされた場合にはステップＳ２に進んで先行車の洗車が終了しているか判断され、その終了が確認されるまで待機状態となる。そして、先行車の洗車終了が確認されると、ステップＳ３に進んで、前述のような顧客が乗車したままのドライブスルー洗車が実行される。
【００４６】
一方、前記ステップＳ１で顧客による通常の洗車受付操作がなされていない場合は、ステップＳ４に進んで、管理者の本人確認（即ちマスタカードのカード挿入口１７ａへの挿入、又は暗証コード入力装置１９への暗証コードの操作入力）が管理者確認手段Ｋ，Ｋ′で行われたか判断され、本人確認されていない場合は始めに戻り、また、本人確認された場合にはステップＳ５に進む。
【００４７】
そのステップＳ５では、「前納」を選択する操作スイッチ１９1 がオン操作されたかが判断され、その操作がなされたと判断された場合には、ステップＳ６に進んで、「前納」に係る一連の洗車受付操作（即ち現金投入又は会員カードの読込み→洗車コース選択→装備品選択→スタートスイッチ２４のオン操作）がなされたか判断され、その操作がなされるまで待機状態となる。
【００４８】
前記ステップＳ６において、「前納」に係る一連の洗車受付操作がなされたと判断された場合には、ステップＳ７に進んで、洗車受付装置Ｕのプリンタ２３及び表示装置１８を作動させて、その洗車受付操作に対応した洗車機Ｓの利用情報を提供する。即ち、プリンタ２３で領収書を発行すると共に、表示装置１８に洗車利用情報を表示させる。前記領収書は、これに洗車利用明細が付記されていて、利用明細書を兼ねている。尚、本発明では、前記領収書に加えて、別紙の利用明細書をプリンタ２３から発行するように設定してもよい。
【００４９】
次いでステップＳ８に進んで、先行車の洗車が終了しているか判断され、その終了が確認されるまで待機状態となる。そして、先行車の洗車終了が確認されると、ステップＳ９に進んで開閉ゲートＧが開放され、その後、ステップＳ１０に進んで、自動車Ｖが洗車開始位置Ｖ２に到着したことが光電センサ１２で確認されたか判断され、その到着が確認されるまで待機状態となる。
【００５０】
前記ステップＳ１０で、自動車Ｖの洗車開始位置Ｖ２への到着が確認されると、ステップＳ１１に進んで開閉ゲートＧが閉鎖され、次いでステップＳ１２に進んで、洗車機本体１の制御盤４０におけるスタートスイッチ２４′がオン操作されたか判断され、その操作がなされるまで待機状態となる。
【００５１】
そして、そのスタートスイッチ２４′の操作がなされた場合には、ステップＳ１３に進んで、洗車機Ｓによる洗車が開始されると共に、洗車待ちの顧客による洗車受付装置Ｕでの次回の洗車受付操作（洗車予約）が許可され、その洗車予約が随時実行可能となる。かくして、自動車Ｖは車内が無人のまま、前記洗車受付操作に対応した洗車態様で洗車され、その洗車が終了すると、洗車機Ｓは、図１二点鎖線の終了位置で停止する。またその洗車中は、洗車待ちの顧客が随時に洗車予約を行うことができる。
【００５２】
次いで、ステップＳ１４で、洗車が終了したか判断され、洗車終了が判断された場合は、ステップＳ１５に進んで、報知装置Ｈを作動させ、それからの音声及びパネル表示により、管理者に対して洗車終了を報知する。これにより、洗車終了を認識した管理者が自動車Ｖに乗り込み、自動車Ｖを前進させ、退出させる。
【００５３】
次いで、ステップＳ１６に進んで、自動車Ｖの退出が光電センサ１２又はその他の退出センサ（図示せず）により確認されたか判断され、その退出が確認された場合は、ステップＳ１７に進んで、洗車機Ｓが図１実線の待機位置まで復帰移動し、その後、始めにもどり、次回の洗車が可能となる。
【００５４】
ところで前記ステップＳ５で、「前納」を選択する操作スイッチ１９1 がオン操作されていないと判断された場合には、ステップＳ１８に進んで、「別納」を選択する操作スイッチ１９2 がオン操作されたかが判断され、その操作がなされていない場合には、前記ステップＳ５に戻る。
【００５５】
前記ステップＳ１８において、「別納」を選択する操作スイッチ１９2 がオン操作されたと判断された場合には、ステップＳ１９に進んで、「別納」に係る一連の洗車受付操作（即ち現金投入又は会員カードの読込みを省略して、洗車コース選択→装備品選択→スタートスイッチ２４のオン操作）がなされたか判断され、その操作がなされるまで待機状態となる。そして、前記ステップＳ１９で、「別納」に係る一連の洗車受付操作がなされたと判断された場合は、前記ステップＳ７に進み、「前納」の場合の洗車と同様の処理手順、即ち前記ステップＳ７〜Ｓ１７を実行した上で、始めに戻る。
【００５６】
但し、上記「別納」の場合は、ステップＳ７において、プリンタ２３からは領収書は発行されず、利用明細書のみが発行される。そして、顧客は、洗車装置周辺の事務所等において、洗車内容に応じた料金を管理者に別途、支払う。
【００５７】
以上のように管理者が顧客に代わり洗車を行う場合には、顧客から自動車Ｖのキーを預かり、洗車受付装置Ｕの手前側に自動車Ｖを停車させ、その洗車受付装置Ｕで管理者確認手段Ｋ，Ｋ′の何れかで本人確認を行う。次いで、有料洗車に切換えるべく切換スイッチとしての操作スイッチ１９1 ，１９2 の何れかを、支払い態様が「前納」か「別納」かに応じて操作入力した後、その支払い態様に応じて洗車受付操作を行い、これにより、開閉ゲートＧが開くので、管理者が自動車Ｖに乗り込み、自動車Ｖを洗車機Ｓの手前側の洗車開始位置Ｖ２まで前進させて降車してから、洗車機本体１のスタートスイッチ２４′をオン操作して洗車を開始させる。そして、洗車が終わると報知装置Ｈが報知作動するので、管理者が自動車Ｖに再び乗り込み、これを前進、退出させる。この洗車中は、洗車待ちの顧客が洗車受付装置Ｕで洗車受付操作（洗車予約）を行うことができる。
【００５８】
而して、本実施形態によれば、ドライブスルー式の洗車装置において、何れかの管理者確認手段Ｋ，Ｋ′で本人確認がなされた後に有料洗車切換用の操作スイッチ１９1 又は１９2 への操作入力がなされてから洗車受付装置Ｕでの洗車受付操作がなされた場合に、その洗車受付操作に対応した洗車機Ｓの利用情報を提供（即ち領収書／利用明細書の発行、洗車利用情報の表示）する情報提供手段としてのプリンタ２３及び表示装置１８を作動させ、更にスタートスイッチ２４′への操作入力に基づき洗車機Ｓの作動を開始させるようにしている。このため、管理者確認手段Ｋ，Ｋ′での本人確認に基づく管理者主導の洗車であっても、簡単に有料洗車扱いに切換えることができて、洗車利用情報の顧客への提供が可能となり、顧客の便宜を図ることができる。また、この場合は、洗車受付操作後であってもスタートスイッチ２４′を操作入力しない限り洗車がスタートせず、管理者が自動車Ｖから降りても洗車を随時にスタートさせることができるため、洗車受付操作を済ませた管理者が洗車中に乗車したままでいる必要はなくなり、これにより、管理者は他の業務を遂行できて作業効率の向上が図られる。
【００５９】
また、前記管理者確認手段Ｋ，Ｋ′による本人確認に基づく洗車中は、有料・無料に関係なく洗車待ち顧客による洗車予約が可能であるため、キースイッチ３１やオプションスイッチ４１を用いて洗車する場合のように洗車待ち顧客が洗車予約できなくなる不都合を回避できる。
【００６０】
その上、本実施形態では、有料洗車切換用の操作スイッチ１９1 ，１９2 が洗車料金の複数の支払い態様に応じて複数設けられるので、その複数の操作スイッチ１９1 ，１９2 を使い分けることで、洗車料金の支払い態様（例えば前納か別納か）を簡単且つ的確に選択可能である。
【００６１】
さらに本実施形態では、管理者確認手段Ｋ′の主要部となる暗証コード入力装置１９の複数の操作キースイッチ１９1 〜１９6 のうちの少なくとも一部１９1 ，１９2 が前記した有料洗車切換用の操作スイッチ（即ち本発明の切換スイッチ）に兼用されるので、専用の切換スイッチを特別に設ける必要はなくなり、それだけ構造簡素化が図られる。
【００６２】
以上、本発明の実施形態について説明したが、本発明は上記実施の形態に限定されるものではなく、特許請求の範囲に記載された本発明を逸脱することなく種々の設計変更を行うことが可能である。
【００６３】
例えば、前記実施形態では、管理者確認手段としては、管理者が所持管理するマスタカードを読取り真否を確認するマスターカード確認手段Ｋ、並びに暗証コード入力装置１９の入力操作情報の正否を確認する暗証コード確認手段Ｋ′を示したが、本発明では、これら手段に代えて（又は加えて）、指紋確認手段、顔面確認手段その他の本人確認手段を用いてもよい。さらにマスタカードに代えて同様の機能を果たすＩＣタグ等の記録媒体を用いてもよく、この場合は、カードリーダライタに代えて該記録媒体の情報を読取る読取り手段を用いるようにする。
【００６４】
また前記実施形態では、管理者確認手段Ｋ，Ｋ′を洗車受付装置Ｕに設けたものを示したが、本発明では、この構造に代えて（又は加えて）、洗車機本体１側にも管理者確認手段を設けるようにしてもよい。
【００６５】
また前記実施形態では、管理者確認手段Ｋ，Ｋ′で本人確認がなされた後で管理者が洗車機Ｓの作動を随時に開始させるのに使用されるスタートスイッチとして、洗車機本体１の制御盤４０に設けたスタートスイッチ２４′を用いたが、本発明では、この洗車機本体１のスタートスイッチ２４′に代えて（又は加えて）、洗車受付装置Ｕに設けたスタートスイッチ２４を用いてもよい。
【符号の説明】
【００６６】
Ｃ・・・・・制御装置
ＥＣＵ・・・制御装置を構成する受付機制御装置
ＥＣＵ′・・制御装置を構成する洗車機本体制御装置
Ｋ・・・・・管理者確認手段としてのマスタカード確認手段
Ｋ′・・・・管理者確認手段としての暗証コード確認手段
Ｓ・・・・・洗車機
Ｕ・・・・・受付機としての洗車受付装置
Ｖ・・・・・車両としての自動車
１・・・・・洗車機本体
１８・・・・情報提供手段としての表示装置
１９・・・・暗証コード入力装置
１９1 〜１９6 ・・複数の操作スイッチ
１９1 ，１９2 ・・切換スイッチとしての操作スイッチ
２３・・・・情報提供手段としてのプリンタ
２４，２４′・・・スタートスイッチ
【図１】
2014084040.tif 000003
【図２】
2014084040.tif 000004
【図３】
2014084040.tif 000005
【図４】
2014084040.tif 000006
【図５】
2014084040.tif 000007
【図６】
2014084040.tif 000008